(57)【要約】【課題】  装置の異常時に表示されるエラーメッセージを、個人毎に編集／変更する（パーソナライズする）手段を提供することにより、操作者全てに対して理解し易いエラーメッセージを提供し、エラーの対処を迅速に行えるようにすることを目的とし、また、これにより、装置のダウンタイムを最小限に抑える効果が期待できる。【解決手段】  エラーメッセージの編集手段、エラーメッセージを一覧から選択する選択手段、変更したエラーメッセージを初期化する初期化手段などによって構成される画像形成装置。【選択図】        図１
2006222633.tif 000002
【特許請求の範囲】
【請求項１】
操作者を特定するための個人認証手段と、
前記操作者からの操作命令を入力するための入力手段と、
前記操作者に情報及び前記入力手段を提供するための表示手段と、
装置の異常状態を検知するエラー検知手段と、
前記エラー検知手段で検知したエラー情報を、前記表示手段を用いて表示することによってエラーメッセージを通知するエラーメッセージ通知手段と、
を有する画像形成装置において、
前記エラーメッセージ通知手段に用いるエラーメッセージを記憶する記憶手段と、
前記エラーメッセージを編集する編集手段と、
前記編集手段によって編集したエラーメッセージを初期化する初期化手段と、
を有することを特徴とした画像形成装置。
【請求項２】
操作者を特定するための個人認証手段と、
前記操作者からの操作命令を入力するための入力手段と、
前記操作者に情報及び前記入力手段を提供するための表示手段と、
装置の異常状態を検知するエラー検知手段と、
前記エラー検知手段で検知したエラー情報を、前記表示手段を用いて表示することによってエラーメッセージを通知するエラーメッセージ通知手段と、
を有する画像形成装置において、
前記エラーメッセージ通知手段に用いるエラーメッセージを記憶する記憶手段と、
前記エラーメッセージを編集する編集手段と、
前記エラーメッセージを一覧の中から選択する選択手段と、
前記編集手段、または前記選択手段によって変更したエラーメッセージを初期化する初期化手段と、
を有することを特徴とした画像形成装置。
【発明の詳細な説明】
【技術分野】
【０００１】
本発明は、個人認証を行い、認証された個人の情報に基づいて表示部に表示する表示情報を制御する画像形成装置の表示制御に関するものである。
【背景技術】
【０００２】
従来の画像形成装置におけるエラーメッセージ表示手段を、図１１のフローチャートと、図１２エラーメッセージ表示画面とを用いて説明する。
【０００３】
画像形成装置がエラーを検知すると（図１１のＳ３２０１）、画像形成装置は、ハードディスクなどの記憶領域に予め保存されたエラーメッセージの中から、検知したエラーメッセージに対応するメッセージデータを読み出し（Ｓ３２０２）、表示部にエラーメッセージを表示する（Ｓ３２０３）。
【０００４】
図１２は表示部にエラーメッセージを表示するための、エラーメッセージ表示画面である。同図において３３０１はエラーメッセージ表示画面であり、３３０２はステップＳ３２０２で記憶領域から読み出したメッセージデータを表示するためのエラーメッセージ表示領域、３３０３はエラーの内容を視覚的に分かり易くＧＵＩで表現するための画像表示領域、３３０４はエラーメッセージ表示画面３３０１をクローズするためのＯＫスイッチである。
【０００５】
このようにして表示部に表示されたエラーメッセージ表示画面３３０１は、オペレータからのＯＫスイッチ３３０４の押下によってクローズされる（３２０４）（例えば、特許文献１参照）。
【特許文献１】特開平０７−３１１６７０号公報
【発明の開示】
【発明が解決しようとする課題】
【０００６】
しかしながら上記従来例では、検知したエラーの種類に応じて、予めハードディスクなどの記憶領域に記憶されているエラーメッセージを読み出して表示部に表示していたため、エラーのメッセージ内容はエラー毎に一意に決められていた。そのため利用者の知識レベルによっては、エラーの内容が理解できなかったり、エラーの対処方法を理解することができない場合があり、このことが装置のダウンタイムを長引かせ、結果的に画像形成装置の生産性を低下させる１つの要因と考えられる。
【０００７】
本発明は、以上の点に着目して成されたもので、各オペレータが自分に最も適した（パーソナライズされた）エラーメッセージを確認することができ、エラーのリカバリを迅速に行うことができ、このことから装置のダウンタイムを最小限に抑えることができる画像形成装置を提供することを目的とする。
【課題を解決するための手段】
【０００８】
上記問題を解決するために本発明は以下の構成を備える。
【０００９】
エラーメッセージを個人毎に理解し易いメッセージに編集（パーソナライズ）することが可能な編集手段と、エラーメッセージを一覧から選択することが可能な選択手段と、編集手段、または選択手段によって変更されたエラーメッセージを記憶するための記憶手段と、編集したエラーメッセージを初期状態に戻すための初期化手段と、を有する画像形成装置。
【００１０】
このような画像形成装置を提供することにより、各オペレータが自分に最も適した（パーソナライズされた）エラーメッセージを確認することができるようになるため、エラーのリカバリが迅速に行えるようになり、このことにより装置のダウンタイムを最小限に抑える効果が期待できる。
【発明の効果】
【００１１】
本発明によれば、エラーメッセージを個人毎に理解し易いメッセージに編集（パーソナライズ）することが可能な編集手段と、エラーメッセージを一覧から選択することが可能な選択手段と、編集手段、または選択手段によって変更されたエラーメッセージを記憶するための記憶手段と、編集したエラーメッセージを初期状態に戻すための初期化手段とを有する画像形成装置を提供することにより、各オペレータが自分に最も適した（パーソナライズされた）エラーメッセージを確認することができるようになるため、エラーのリカバリが迅速に行えるようになり、このことから装置のダウンタイムを最小限に抑える効果が期待できる。
【発明を実施するための最良の形態】
【００１２】
以下本発明を実施するための最良の形態を、実施例により詳しく説明する。
【実施例】
【００１３】
図１は本発明で実施したユーザメッセージ表示画面を図示したものである。図１において、１０１はユーザメッセージ編集画面であり、１０２は編集対象となるエラー内容を選択するための選択ＵＩ、１０３はエラーメッセージを自由に編集（パーソナライズ）するためのエラーメッセージ編集ＵＩ、１０４はエラーメッセージの内容を、予め装置が保持している一覧の中から選択する機能を提供するＵＩ、１０５はオペレータが編集、または選択したエラーメッセージの内容を初期化するための初期化スイッチ、１０６は設定内容を確定するためのＯＫスイッチ、１０７は設定内容を破棄するためのキャンセルスイッチ、１０８は操作ガイドを表示するためのヘルプスイッチである。
【００１４】
以下に、図１で示したエラーメッセージ編集画面１０１を用いて、エラーメッセージの編集を行い、編集した結果を表示部に表示させる手順について詳しく述べる。
【００１５】
図１３は本発明の画像形成装置の構成を表したブロック図である。
【００１６】
図１３において、５５０１は画像形成装置全体の制御を司るメインコントローラ部、５５０２はオペレータから画像形成装置に対する操作を受け付けたり、オペレータに対して装置の状態などの情報を提供するための操作部、５５０３は操作部５５０２がメインコントローラ部５５０１と通信を行うためのＩ／Ｏ部、５５０４はオペレータに情報を提供したり、ソフト的に生成されたスイッチを表示するための液晶パネル部、５５０５は液晶パネル部５５０４上に表示されたソフトスイッチの操作を検知するためのタッチパネル部、５５０６はオペレータからの操作を受け付けるために物理的に配置されたスイッチ部である。
【００１７】
また、５００７は印刷データやプログラムを記憶したり、データのキャッシュエリアとして利用されるＨＤＤ部、５５０８は印刷画像を展開したり、加工するために用いられる画像メモリ部、５５０９は画像形成装置に機能拡張を行う目的で利用される拡張バス、５５１０は拡張バス５５０９を利用して画像形成装置に増設されたＮＩＣ（Ｎｅｔｗｏｒｋ  Ｉｎｔｅｒｆａｃｅ  Ｃａｒｄ）部、５５１１はＬＡＮ上を流れる通信パケットを監視し、本画像形成装置に関係のあるデータパケットを受信したり、本画像形成装置で生成されたデータパケットをＬＡＮへ送信するための制御を司るＬＡＮコントローラ、５５１２は電圧変換を行い、画像形成装置とＬＡＮの物理的な通信を実現するためのトランス部、５５１３は記録メディアである紙に画像を印刷するための印刷部である。
【００１８】
さらに、５５１４はメインコントローラ部５５０１によって送られてくる画像データを、紙に印刷するために適したデータに補正するために、ガンマ変換、エッジ強調、スムージングなどの画像処理を行う出力処理部、５５１５は出力処理後の画像データを、レーザービームを駆動するための信号に変換するためのＰＷＭ部、５５１６はレーザービームで供給された信号を基に、紙に画像を印刷するためのプリンタ部、５５１７は印刷部５５１３によって作成された印刷済みの紙を、画像形成装置の外部に排出するための排紙部、５５１８は排紙部５５１７がメインコントローラ部５５０１と通信するためのＩ／Ｏ部、５５１９は排紙部５５１７の制御を司るコントローラ部である。
【００１９】
また、５５２０は排紙部５５１７内を通過する紙の流れを監視するための用紙センサ部、５５２１は紙を配送するためのモータを駆動する給紙モータ駆動部、５５２２は排紙トレイを駆動するためのトレイモータ駆動部、５５２３は紙の流れを制御するための用紙パス制御部、５５２４は拡張バス５５０９を利用して画像形成装置に増設されたＦＡＸ部、５５２５はＦＡＸ部によって送受信するためのデータを一時的に保管するためのメモリ部、５５２６はＦＡＸ送信を行う際に送信データに圧縮処理を行うための圧縮部、５５２７はＦＡＸ受信を行う際に受信データに伸張処理を行うための伸張部、５５２８はＦＡＸ送信を行う際に送信データのＤ／Ａ変換と変調処理を行うための変調部、５５２９はＦＡＸ受信を行う際に受信データの復調とＡ／Ｄ変換を行うための復調部である。
【００２０】
また、５５３０はモデム部（変調部５５２８及び復調部５５２９によって構成される部分）と公衆電話回線とを接続するための電圧変換回路やサージ保護回路などによって構成されるＮＣＵ部、５５３１はコピー原稿を読み取るためのスキャナ部であり、５５３２は光学的な信号を電気信号に変換するためのイメージセンサ部、５５３３は入力信号のゲイン調整、オフセット調整及びＡ／Ｄ変換を行うためのＡ／Ｄ変換部、５５３４は基準白色板の読み取り信号を用いた、公知のシェーディング補正を行うためのシェーディング部である。
【００２１】
図２はスキャナ部５５３１、印刷部５５１３、及び排紙部５５１７の機械的構造を表した断面図である。
【００２２】
図２において、２０１は原稿給送装置、２０２はプラテンガラス、２０３はランプ、２０４はスキャナユニット、２０５、２０６、及び２０７はミラー、２０８はレンズ、２０９はイメージセンサであるところのＣＣＤ、２１０はレーザ発光部、２１１は感光ドラム、２１２は現像器、２１３及び２１４は紙カセット、２１５は転写部、２１６は定着部、２１７は排出ローラ、２１８はフラッパ、２１９は排紙ユニットであるところのソータである。
【００２３】
図９はコピー機能、ＦＡＸ機能、印刷機能などを有する本発明の画像形成装置（デジタル複合機とも呼ぶ）の操作パネルを表した図である。図９において、３００１は操作パネルであり、３００２は操作パネル３００１上に配置された表示部であるところの液晶パネル、また液晶パネル３００２上にはタッチパネルが配置され、液晶パネル３００２に表示されたソフトスイッチの操作を検出することに利用される。
【００２４】
以下、３００３から３０１５は液晶パネル３００２上にソフト的に表示されたスイッチ及び表示部に関する説明である。３００３はコピー機能選択スイッチ、３００４はＦＡＸ機能選択スイッチ、３００５はボックス機能選択スイッチ、３００６はオプションデバイスなどによって提供される拡張機能を利用するための拡張機能選択スイッチ、３００７は現在の画像形成装置の設定状態及び動作状態を表示するための状態表示部、３００８は印刷濃度を設定するための濃度設定スイッチ、３００９は印刷倍率を等倍に設定するための等倍スイッチ、３０１０は印刷倍率を設定するための倍率スイッチ、３０１１は用紙サイズを選択するための用紙サイズスイッチ、３０１２はソータのソートモードを設定するためのソータスイッチ、３０１３は両面印刷モードを設定するための両面スイッチ、３０１４はコピーで利用することができる応用機能を選択するための応用モードスイッチ、３０１５はシステム状況の確認やプリントを中止する機能を利用するためのシステム状況／中止スイッチである。
【００２５】
以下、３０１６から３０２４は操作パネル３００１上に物理的に配置されたスイッチに関する説明である。３０１６は設定の初期化などを行うためのリセットスイッチ、３０１７は節電モードの設定／解除を行うための節電スイッチ、３０１８はコピーの開始やＦＡＸの送信スタートなどを指示するためのスタートスイッチ、３０１９はコピー動作などを止めるためのストップスイッチ、３０２０はＦＡＸ番号の入力やコピー部数の入力などを行うために利用するテンキー、３０２１は入力した数字や文字を取り消すときに利用するクリアキー、３０２２はＩＤ番号を設定するときなどに利用するＩＤキー、３０２３は操作ガイドを液晶パネル３００２に表示させるために利用するガイドキー、３０２４は画像形成装置の仕様設定を行うときに利用するユーザモードキーである。
【００２６】
以上の構成において、通常のコピー動作における一連の処理手順を図３のフローチャートを用いて説明する。
【００２７】
本発明の画像形成装置を用いてコピー動作を行う場合、オペレータはコピー原稿を原稿給紙装置２０１か、プラテンガラス２０２上にセットする必要があるが、本実施例では原稿給紙台２０１にセットした場合について説明する。オペレータが初めに原稿給紙台２０１にコピー原稿をセットすると（Ｓ３０１）、図示していないが原稿給紙装置２０１に設けられた原稿検知センサによってコピー原稿のセットが検知され、この情報はメインコントローラ５５０１へ伝えられる。
【００２８】
メインコントローラ５５０１はコピー原稿のセットを検知すると、操作部５５０２のＩ／Ｏ部５５０３と通信を行い、液晶パネル部５５０４へ、図４で示した個人認証画面４０１を表示するように命令する。この個人認証画面４０１は操作パネル３００１に配置された液晶パネル３００２上に表示され、オペレータから見ることができる。一方、プラテンガラス２０２上にコピー原稿をセットした場合は、上記コピー原稿の自動検知が行われないため、オペレータはＩＤスイッチ３０２２を押下し、意図的に液晶パネル３００２上に個人認証画面４０１を表示させることも可能である。
【００２９】
通常オペレータは、この個人認証画面４０１が表示されると、個人ＩＤスイッチ４０２を押下して（Ｓ３０２）個人ＩＤ入力モードに設定した後、テンキー３０２０を用いて個人ＩＤ入力部４０４へ個人ＩＤを入力する（Ｓ３０３）。続いてパスワードスイッチ４０３を押下して（Ｓ３０４）パスワード入力モードに設定した後、テンキー３０２０を用いてパスワード入力部４０５へパスワードを入力する（Ｓ３０５）。ただし、オペレータが個人認証を行いたくない場合、或いは個人認証ＩＤを画像形成装置の管理者から提供されていない場合、個人ＩＤとパスワードを入力せずに閉じるスイッチ４０６を押下することによって個人認証をスキップさせることが可能である。ただしこの場合、オペレータは個人認証することによって享受可能な一部のサービスを受けることができなくなる。
【００３０】
通常のフローに従い、オペレータによって個人ＩＤとパスワードが入力されると、続いてオペレータは閉じるスイッチ４０６を押下し、この入力を確定させる。このような液晶パネル３００２上にソフト的に表示されたスイッチの押下は、タッチパネル５５０５によって検知され、Ｉ／Ｏ部５５０３を介してメインコントローラ部５５０１へ伝えられる。メインコントローラ部５５０１は入力された個人ＩＤとパスワードを、ＨＤＤ部５５０７（或いは図示していない不揮発性メモリ）などに記憶されたユーザＩＤテーブルと照合する。
【００３１】
図５はＨＤＤ部５５０７に記憶されたユーザＩＤテーブルである。メインコントローラ部５５０１はこのテーブルの情報を基に、入力された個人ＩＤとパスワードが有効なものであるか否かを確認し、正しいものと判断されると、個人認証画面４０１をクローズし、図９に示したコピー操作画面を液晶パネル３００２上に表示する。一方、個人ＩＤとパスワードが無効なものと判断されると、個人ＩＤをパスワードの再入力を求めるために、個人認証画面４０１はクローズされずそのまま表示される。ただし、オペレータが何らかの理由により個人認証を望まない場合、ＩＤスイッチ３０２２や、リセットスイッチ３０１６の押下によって、個人認証画面４０１を強制的にクローズすることも可能である。
【００３２】
図９に示したコピー操作画面が液晶パネル３００２上に表示されると、オペレータは必要に応じて以下に説明するステップＳ３０６からステップＳ３１２の操作を行い、コピー動作を行うための各種設定を行う。コピーの倍率を変更する必要がある場合は、等倍スイッチ３００９及び倍率スイッチ３０１０を操作してコピー倍率の設定を行う（Ｓ３０６）。倍率スイッチ３０１０を押下すると、倍率を設定するための詳細設定画面が表示されるが、ここではその画面の説明を割愛する。同様に用紙サイズを変更する必要がある場合は用紙サイズスイッチ３０１１を押下し、詳細設定画面を表示させた後、用紙サイズの選択を行う（Ｓ３０７）。印刷部数を変更する必要がある場合はテンキー３０２０を押下し、印刷部数の設定を行う（Ｓ３０８）。
【００３３】
ソート方法を変更する必要がある場合はソータスイッチ３０１２を押下し、詳細設定画面を表示させた後、ソート方法の選択を行う（Ｓ３０９）。両面モードを変更する必要がある場合は両面スイッチＳ３０１３を押下し、詳細設定画面を表示させた後、両面モードの選択を行う（Ｓ３１０）。濃度を変更する必要がある場合は濃度設定スイッチ３００８を操作し、濃度設定を行う（Ｓ３１１）。応用モードを利用したい場合は応用モードスイッチ３０１４を押下し、詳細設定画面を表示させた後、各応用モードの設定を行う（Ｓ３１２）。
【００３４】
以上、説明した操作によってコピーを開始する準備が整うと、オペレータはスタートスイッチ３０１８を押下し、コピーの開始を画像形成装置に命令する（Ｓ３１３）。このスタートスイッチ３０１８の押下は操作部５５０２のスイッチ部５５０６によって検出され、Ｉ／Ｏ部５５０３を介して、メインコントローラ部５５０１に伝えられる。
【００３５】
メインコントローラ部５５０１がこの信号を検出すると、メインコントローラ部５５０１の制御のもと、コピー処理が実行される（Ｓ３１５）。
【００３６】
以下にステップＳ３１５で行われるコピー処理の動作を詳しく説明しておく。
【００３７】
スキャナ部５５３１に設けられた原稿給送装置２０１は、コピー原稿を最終頁から順にｌ枚ずつプラテンガラス２０２上へ給送し、コピー原稿の読み取り動作終了後、プラテンガラス２０２上の原稿を排出するものである。コピー原稿がプラテンガラス２０２上に搬送されると、ランプ２０３を点灯し、スキャナユニット２０４の移動を開始させて、コピー原稿を露光走査する。この時のコピー原稿からの反射光は、ミラー２０５、２０６、２０７、及びレンズ２０８によってＣＣＤイメージセンサ（以下ＣＣＤという）２０９へ導かれる。
【００３８】
このように、走査されたコピー原稿の画像は、ＣＣＤ２０９によって読み取られる。このようにしてイメージセンサ部５５３２へ入力された画像データは、Ａ／Ｄ変換部５５３３へ送られ、ここでゲイン調整とオフセット調整が行われた後、Ａ／Ｄコンバータで８ビットのデジタル信号に変換され、シェーディング部５５３４へ送られる。シェーディング部５５３４では、基準白色版の読み取り信号を用いた公知のシェーディング補正が施され、メインコントローラ部５５０１へ送られる。メインコントローラ部５５０１ではこの画像データを印刷部５５１３に送り、印刷処理を促す。
【００３９】
印刷部５５１３の出力処理部５５１４に入力された画像データは、トナーの濃度諸特性を考慮した濃度データに変換するためのガンマ補正と、シャープネス処理、スムージング処理が施され、ＰＷＭ部５５１５へ送られる。ＰＷＭ部５５１５では、入力されたデジタル信号を基に、アナログ信号であるレーザ駆動信号を生成する。
【００４０】
レーザ駆動信号はレーザ発光部２１０を駆動するものであり、この信号に応じたレーザ光をレーザ発光部２１０から発行する。このレーザ光は感光ドラム２１１に照射され、感光ドラム２１１にはレーザ光に応じた潜像が形成される。この感光ドラム２１１の潜像の部分には現像器２１２によって現像剤が付着される。そして、レーザ光の照射開始と同期したタイミングで、紙カセット２１３、または紙カセット２１４のいずれかから記録紙を給紙して転写部２１５へ搬送し、感光ドラム２１１に付着された現像剤を記録紙に転写する。現像剤の乗った記録紙は定着部２１６に搬送され、定着部２１６の熱と圧力により現像剤は記録紙に定者される。定着部２１６を通過した記録紙は排出ローラ２１７によって排出され、ソータ２１９は排出された記録紙をそれぞれのビンに収納して記録紙の仕分けを行う。なお、ソータ２１９にソート方法の設定が行われていない場合は、最上ビンに記録紙を収納する。
【００４１】
また、両面印刷モードが設定されている場合は、排出ローラ２１７のところまで記録紙を搬送した後、排出ローラ２１７の回転方向を逆転させ、フラッパ２１８によって再給紙搬送路へ導く。多重記録が設定されている場合は、記録紙を排出ローラ２１７まで搬送しないようにフラッパ２１８によって再給紙搬送路へ導く。再給紙搬送路へ導かれた記録紙は上述したタイミングで転写部２１５へ給紙され、再び印刷処理が実行される。
【００４２】
以上、コピー動作における一連の処理手順を説明した。
【００４３】
次に本発明で実施したエラーメッセージの変更方法を、図８のフローチャートを用いて詳しく説明する。
【００４４】
オペレータが応用モードスイッチ３０１４を押下すると（Ｓ１００１）、図１０に示した応用モード選択画面３１０１が液晶パネル３００２にポップアップ表示される（Ｓ１００２）。図１０において、３１０１は応用モード選択画面であり、３１０２は応用モードの１つであるところのユーザメッセージ編集画面１０１を表示させるためのスイッチ、３１０３は応用モード選択画面３１０１をクローズするための閉じるスイッチである。
【００４５】
応用モード選択画面３１０１が表示されると、オペレータからの操作が待機され、ユーザメッセージ編集スイッチ３１０２が押下されたと判定されると（Ｓ１００３）、図１に示したユーザメッセージ編集画面１０１を、液晶パネル３００２に表示する（Ｓ１００５）。一方、ステップＳ１００３でユーザメッセージ編集スイッチ意外が押下されたと判定された場合は、各応用モードの詳細設定画面を表示し、詳細設定モードに移行するが（Ｓ１００４）、本発明と直接関係が無いため説明は割愛する。
【００４６】
ユーザメッセージ編集画面１０１は、エラーの内容を選択するＵＩ１０２を持ち、オペレータがここでエラーの内容を選択することによって、各エラー内容に対応したエラーメッセージの編集が可能となる。本実施例ではエラー内容の中から、用紙ジャムを選択している。エラー内容選択ＵＩ１０２において、用紙ジャムが選択されると、メインコントローラ部５５０１は、ＨＤＤ部５５０７（或いは図示していない不揮発性メモリなど）に記憶された、エラーメッセージテーブルからエラーメッセージデータを読み出して、エラーメッセージの編集ＵＩ１０３に表示する。エラーメッセージテーブルの構成は図６に図示したとおりであり、ユーザ毎に、各エラーメッセージに対応した、エラーメッセージデータを記憶しておくことが可能である。また、ここでエラーメッセージの編集ＵＩ１０３に表示に表示されたエラーメッセージは、液晶パネルにポップアップ表示される仮想キーボード（不図示）などによって、自由に文字を入力して編集することが可能である。
【００４７】
一方、エラーメッセージの選択ＵＩ１０４を用いることにより、予め画像形成装置がＨＤＤ部５５０７（或いは図示していない不揮発性メモリなど）に保持しているエラーメッセージの一覧から、表示させるエラーメッセージを選択することも可能である。その場合は、リストボックスＵＩに表示されるエラー複数のエラーメッセージの候補の中から、自分自身が理解しやすいエラーメッセージを選択すれば良い。
【００４８】
ここで説明した操作により、エラーメッセージの変更が行われたと判定されると（Ｓ１００６）、新しく設定されたエラーメッセージは、エラーメッセージの編集ＵＩ１０３に表示されると同時に、ＨＤＤ部５５０７（或いは図示していない不揮発性メモリなど）に設けられた、エラーメッセージテーブルに記憶される（Ｓ１００７）。
【００４９】
このようにしてオペレータによって新たに設定された（パーソナライズされた）エラーメッセージは、図１１のフローチャートで説明した手順によって、エラー発生時に表示され、図７で示したＵＩとして表示される。
【００５０】
図７において７０１はエラーメッセージ表示画面であり、７０２はオペレータによって設定したエラーメッセージを表示するための表示領域、７０３はエラーの内容を視覚的に分かり易くＧＵＩで表現するための画像表示領域、７０４はエラーメッセージ表示画面をクローズするためのＯＫスイッチである。
【００５１】
なお、上記実施例における個人認証の方法は、図４で説明した個人認証画面４０１を用いたユーザＩＤ（個人ＩＤ）とパスワードによって行われると記述しているが、この他にも、ＩＣカード、ＩＤカード、メモリカードなどの各種カードによる認証、音声認証、指紋認証、毛細血管による認証、静脈パターンによる認証など、あらゆる認証方法が利用可能であることは言うまでもない。
【図面の簡単な説明】
【００５２】
【図１】本発明で実施したユーザメッセージ編集画面を示す図
【図２】スキャナ部、印刷部、排紙部の機械的構造を表した断面図
【図３】通常のコピー動作のフローチャート
【図４】個人認証画面を示す図
【図５】ユーザＩＤテーブル
【図６】エラーメッセージテーブル
【図７】エラーメッセージ表示画面を示す図
【図８】本発明で実施したエラーメッセージの変更方法を示したフローチャート
【図９】画像形成装置の操作パネルを示す図
【図１０】応用モード選択画面を示す図
【図１１】従来の画像形成装置におけるエラーメッセージ表示手段を示したフローチャート
【図１２】従来のエラーメッセージ表示画面を示す図
【図１３】本発明の画像形成装置のブロック図
【符号の説明】
【００５３】
１０１  ユーザメッセージ表示画面
１０２  編集対象となるエラー内容を選択するための選択ＵＩ
１０３  エラーメッセージ編集ＵＩ
１０４  エラーメッセージの内容を、予め装置が保持している一覧の中から選択する機能を提供するＵＩ
１０５  エラーメッセージの内容を初期化するための初期化スイッチ
１０６  ＯＫスイッチ
１０７  キャンセルスイッチ
１０８  ヘルプスイッチ
２０１  原稿給送装置
２０２  プラテンガラス
２０３  ランプ
２０４  スキャナユニット
２０５  ミラー
２０６  ミラー
２０７  ミラー
２０８  レンズ
２０９  ＣＣＤ
２１０  レーザ発光部
２１１  感光ドラム
２１２  現像器
２１３  紙カセット
２１４  紙カセット
２１５  転写部
２１６  定着部
２１７  排出ローラ
２１８  フラッパ
２１９  ソータ
４０１  個人認証画面
４０２  個人ＩＤスイッチ
４０３  パスワードスイッチ
４０４  個人ＩＤ入力部
４０５  パスワード入力部
４０６  閉じるスイッチ
５５０１  メインコントローラ部
５５０２  操作部
５５０３  Ｉ／Ｏ部
５５０４  液晶パネル部
５５０５  タッチパネル部
５５０６  スイッチ部
５００７  ＨＤＤ部
５５０８  画像メモリ部
５５０９  拡張バス
５５１０  ＮＩＣ（Ｎｅｔｗｏｒｋ  Ｉｎｔｅｒｆａｃｅ  Ｃａｒｄ）部
５５１１  ＬＡＮコントローラ
５５１２  トランス部
５５１３  印刷部
５５１４  出力処理部
５５１５  ＰＷＭ部
５５１６  プリンタ部
５５１７  排紙部
５５１８  Ｉ／Ｏ部
５５１９  コントローラ部
５５２０  用紙センサ部
５５２１  給紙モータ駆動部
５５２２  トレイモータ駆動部
５５２３  用紙パス制御部
５５２４  ＦＡＸ部
５５２５  メモリ部
５５２６  圧縮部
５５２７  伸張部
５５２８  変調部
５５２９  復調部
５５３０  ＮＣＵ部
５５３１  スキャナ部
５５３２  イメージセンサ部
５５３３  Ａ／Ｄ変換部
５５３４  シェーディング部
【図１】
2006222633.tif 000003
【図２】
2006222633.tif 000004
【図３】
2006222633.tif 000005
【図４】
2006222633.tif 000006
【図５】
2006222633.tif 000007
【図６】
2006222633.tif 000008
【図７】
2006222633.tif 000009
【図８】
2006222633.tif 000010
【図９】
2006222633.tif 000011
【図１０】
2006222633.tif 000012
【図１１】
2006222633.tif 000013
【図１２】
2006222633.tif 000014
【図１３】
2006222633.tif 000015